(57)【要約】レリースワイヤが温水に触れる場所に配置される遠隔操作式排水栓装置において、その温水によってアウターチューブに熱伸縮が生じることのない遠隔操作式排水栓装置を提供する。【解決手段】槽体の底面に設けられた、開閉機構を備えた排水口（１）を、任意の場所に備えた操作部（２）に加えた操作によって開閉する遠隔操作式排水栓装置において、上記操作部（２）に加えた操作を開閉機構に伝達する操作伝達部材を、樹脂材からなり、円筒状にして側面方向に可撓性を備えてなり、且つその周囲に、可撓性が得られる程度に薄膜とした金属材を貼着したアウターチューブ（３ａ）と、棒状の金属材からなり、上記アウターチューブ（３ａ）内を進退自在に摺動する、側面方向に可撓性を備え、軸方向に剛性を備えたインナーワイヤ（３ｂ）と、からなるレリースワイヤ（３）によって構成する。【選択図】図４
2004068329.tif 000002
【特許請求の範囲】
【請求項１】
槽体の底面に設けられた、開閉機構を備えた排水口（１）を、任意の場所に備えた操作部（２）に加えた操作によって開閉する遠隔操作式排水栓装置において、
上記操作部（２）に加えた操作を開閉機構に伝達する操作伝達部材を、
樹脂材からなる、円筒状にして側面方向に可撓性を備えてなり、且つその周囲に、可撓性が得られる程度に薄膜とした金属材を貼着したアウターチューブ（３ａ）と、
上記アウターチューブ（３ａ）内を進退自在に摺動する、側面方向に可撓性を備え、軸方向に剛性を備えたインナーワイヤ（３ｂ）と、
からなるレリースワイヤ（３）によって構成したことを特徴とする遠隔操作式排水栓装置。
【請求項２】
上記遠隔操作式排水栓装置において、アウターチューブ（３ａ）を、温水に触れる箇所に配置したことを特徴とする請求項１に記載の遠隔操作式排水操作装置。
【請求項３】
上記遠隔操作式排水栓装置において、レリースワイヤ（３）を、
操作部（２）から排水口（１）内までを通水可能に連通するチューブ部材（４）内に配置したことを特徴とする請求項２記載の遠隔操作式排水栓装置。
【請求項４】
上記遠隔操作式排水栓装置において、レリースワイヤ（３）を、
槽体内に配置したことを特徴とする請求項２記載の遠隔操作式排水栓装置。
【請求項５】
上記遠隔操作式排水栓装置において、
アウターチューブ（３ａ）が軸方向に多少の弾性を備えると共に、
レリースワイヤ（３）が、
摂氏０度、軸方向への荷重が無い状態におけるアウターチューブ（３ａ）の軸方向の長さをＬ１、
摂氏０度、軸方向への荷重が無い状態におけるアウターチューブ（３ａ）のうち、金属材を貼付した部分の、軸方向の長さをＬ２、
インナーワイヤ（３ｂ）のストローク長さをＬ３、
アウターチューブ（３ａ）の、軸方向荷重が弾性限界内での状態における、摂氏０度での軸方向の長さに対する、摂氏６０度での軸方向の長さの比をＴ１、
アウターチューブ（３ａ）の、摂氏０度乃至摂氏６０度環境下における、軸方向に荷重が無い場合での軸方向の長さに対する、軸方向荷重が弾性限界内での軸方向の長さの比をＴ２、
とするとき、
式（ＷＬ）　：　（Ｌ１−Ｌ２）×Ｔ１＜Ｌ３＜（Ｌ１−Ｌ２）×Ｔ２
を満していることを特徴とする上記請求項１乃至請求項４のいずれか１つに記載の遠隔操作式排水栓装置。
【発明の詳細な説明】
【０００１】
【発明の属する技術分野】
本発明は、浴槽や洗面台、流し台等の排水機器に用いられる槽体に設けられた排水口を、槽体の開口周縁部など、任意の場所に備えられた操作部に操作を加えることで開閉する遠隔操作式排水栓装置に関し、更に詳しくは操作伝達部材としてレリースワイヤを採用した遠隔操作式排水栓装置の改良に関するものである。
【０００２】
【従来の技術】
従来より、浴槽や洗面台、流し台等の排水機器に用いられる槽体に設けられた排水口を、槽体の開口周縁部など、任意の場所に備えられた操作部に操作を加えることで開閉する遠隔操作式排水栓装置が良く知られている。
以下に、従来用いられてきた、浴槽に取り付けられた遠隔操作式排水栓装置を、図面を参照しつつ説明する。
【０００３】
図１乃至図２に示した、浴槽に取り付けられた遠隔操作式排水栓装置は、以下に記載した排水栓、弁体、排出部材としての排水エルボ、レリースワイヤ、操作部、操作部と排水エルボの間に配置されるチューブ部材、等の各部材より構成されてなる。
排水栓は、内部に排水口を形成する略円筒形状の部材であって、その上縁外周側にフランジ部を設けてなる。また排水口内には、後述する弁体の弁軸を収納すると共に、レリースワイヤのアウターチューブ端部を接続して、弁軸下方位置にインナーワイヤのロッド部を配置させる軸受部材を着脱自在に収納してなる。
弁体は、上記排水口を開閉する弁部と、該弁部の中心より下方に向けて垂下された弁軸よりなる。
排水エルボは排水栓との接続を行う開口部と、排水管等に接続されて排水を下水側に排出する排出口と、後述するレリースワイヤを挿通するための接続部よりなる。
レリースワイヤは、円筒形状にして側面方向に可撓性を備えたゴム等の弾性材からなり、更に円筒形状の内面と外面の間に、メッシュ状に編み込んだ金属線を埋め込んでなるアウターチューブと、該アウターチューブ内を軸方向に摺動自在に進退するインナーワイヤと、インナーワイヤの一端に備えられ、上記弁体の弁軸下方に配置されるロッド部と、後述する操作部側にインナーワイヤを付勢する戻りスプリングを備えてなる。
操作部は、上記レリースワイヤのアウターチューブの端部を固定し、またインナーワイヤの進退を操作することで排水口の開閉操作を行う部材であって、操作毎に、インナーワイヤを弁体側に前進させて固定／固定を解除し、戻りスプリングによって操作部側に後退、を繰り返すスラストロック部材と、該スラストロック部材を収納するケーシング部を備えてなる。
チューブ部材は、レリースワイヤを、操作部から排水エルボ内に案内するガイドの役割を果たす、筒状の、軟質塩ビなど可撓性を備えた軟質樹脂からなる部材であって、その端部の一方は操作部のケーシング部に、他方は排水エルボの接続部に、排水が遠隔操作式排水栓装置外に漏れることがないよう水密的に接続される。
【０００４】
上記のように構成した遠隔操作式排水栓装置は、以下のようにして浴槽等に取着される。
まず槽体の底面に設けられた取着孔に排水栓の円筒部分を挿通し、更に排水エルボの開口部に接続して、取着孔の周縁をフランジ部下面と開口部上面とで挟持させて排水栓及び排水エルボを取着孔に取着固定する。
次に操作部のケーシング部を槽体の開口周縁に取り付け、更にチューブ部材の両端部に、操作部と排水エルボを、それぞれ水密的に接続する。
更に操作部の動作軸にレリースワイヤを接続してから、レリースワイヤのロッド部をケーシング部とチューブ部材内を挿通して、排水栓内に引き出す。
その後、軸受部材にレリースワイヤのアウターチューブ端部を接続したうえで排水口に収納し、更に弁体の弁軸を軸受部材に収納することで、ロッド部が弁軸下方位置に配置され、遠隔操作式排水栓装置の取り付けが完了する。
【０００５】
上記のように施工された遠隔操作式排水栓装置を使用する場合、まず操作部に操作を加えて、図１にあるように弁体が排水口を閉口した状態とする。この状態より操作部に操作を加えて、スラストロック部材の後端に押し込み操作を加えると、スラストロック部材を介して、インナーワイヤが排水栓側に突出した状態で固定される。これによって、弁軸下端が押し上げられ、弁体が上昇し、排水口が開口する。
この状態より再度操作部に操作を加えて、スラストロック部材の後端に押し込み操作を加えると、スラストロック部材の軸部の固定が解除され、インナーワイヤが操作部側に後退するため、弁体が下降し、排水口が弁部により閉口される。
以後、同様の操作を繰り返すことで排水口の開口／閉口を自在に操作することができる。
【０００６】
また、遠隔操作式排水栓装置のレリースワイヤ等に異常が生じた場合、まずレリースワイヤの先端と、排水エルボとの固定を解除し、更にレリースワイヤごとスラストロック部をケーシング部から引き抜くことでレリースワイヤを取り出すことができる。その後レリースワイヤを修理／交換したうえで、再びレリースワイヤの先端部をケーシング部とチューブ部材内を挿通して排水栓内に固定配置し、弁体を配置することで、容易に遠隔操作式排水栓装置を修理することができる。
このように、槽体の表面からの作業のみで遠隔操作式排水栓装置の修理が可能であることは、例えば浴槽のように施工完了後は槽体の裏面から手を加えることがほとんどできない槽体に用いるのに好適である。
【０００７】
また、遠隔操作式排水栓装置の操作部は可動部分を含むため、完全な水密性を保つことが難しく、槽体内の水が操作部に触れると、操作部の可動部分から、少しづつではあるが槽体の裏面側に漏水を生じる場合があるが、上記構造の遠隔操作式排水栓装置であれば、可動部分であるスラストロック部材、又はその近傍に触れた水はそのままチューブ部材内を通って排水エルボ内、即ち排出部材に排出されるため、槽体の裏面側への漏水を防ぐことができるという長所も備えている。
【０００８】
また、近年では図５に示したように、槽体の内面に沿ってレリースワイヤを配置し、構造や施工を簡易化し、コストダウンを達成した遠隔操作式排水栓装置も知られている。
図５に示した、浴槽内にレリースワイヤを配置した遠隔操作式排水栓装置は、以下に記載した排水栓、弁体、レリースワイヤ、操作部、等の各部材より構成されてなる。
排水栓は、内部に排水口を形成する略円筒形状であって、その上縁外周側にフランジ部を設けてなる。また排水口内には、後述する弁体の弁軸を収納する有底筒状の軸受部を備えてなる。
弁体は、上記排水口を開閉する弁部と、該弁部の中心より下方に向けて垂下された弁軸よりなり、更に弁体側から弁軸内にレリースワイヤのロッド部を挿通するための通孔を備えてなる。
レリースワイヤは、円筒形状にして側面方向に可撓性を備えたゴム等の弾性材からなり、更に円筒形状の内面と外面の間に、メッシュ状に編み込んだ金属線を埋め込んでなるアウターチューブと、該アウターチューブ内を軸方向に摺動自在に進退するインナーワイヤと、インナーワイヤの一端に備えられ、上記弁体の弁軸下方に配置されるロッド部と、後述する操作部側にインナーワイヤを付勢する戻りスプリングを備えてなる。
操作部は、上記レリースワイヤのアウターチューブの端部を固定し、またインナーワイヤの進退を操作することで排水口の開閉操作を行う部材であって、操作毎に、インナーワイヤを弁体側に前進させて固定／固定を解除し、戻りスプリングによって操作部側に後退、を繰り返すスラストロック部材と、該スラストロック部材を収納するケーシング部と、よりなる。
【０００９】
上記のように構成した遠隔操作式排水栓装置は、以下のようにして浴槽等に設けられた取着孔に取着される。
まず槽体の底面に設けられた取着孔に排水栓の円筒部分を挿通し、取着孔の周縁をフランジ部下面とナット部材とで挟持させて排水栓及び排水エルボを取着孔に取着固定する。
次に操作部のケーシング部を槽体の内面部分の任意箇所に取り付けする。
更に操作部のスラストロック部材にレリースワイヤを接続してから、レリースワイヤをケーシング部内を挿通し、槽体内面に沿わせて配置する。
その後、弁体の通孔にレリースワイヤのロッド部を挿通したうえで、アウターチューブ端部を弁体に取り付けし、更に弁体の弁軸を軸受部内に収納することで、ロッド部が軸受部の底面上に配置され、遠隔操作式排水栓装置の取り付けが完了する。
【００１０】
上記のように構成した遠隔操作式排水栓装置を使用する場合、まず操作部に操作を加えて、図５にあるように弁体が排水口を閉口した状態とする。この状態より操作部に操作を加えて、スラストロック部材の後端に押し込み操作を加えると、スラストロック部材を介して、インナーワイヤが排水栓側に突出した状態で固定される。これによって、ロッド部の先端が軸受部の底面に当接し、弁軸ごと弁体を上昇させるため、排水口が開口する。
この状態より再度操作部に操作を加えて、スラストロック部材の後端に押し込み操作を加えると、スラストロック部材の軸部の固定が解除され、インナーワイヤが操作部側に後退するため、弁体が下降し、排水口が弁部により閉口される。
以後、同様の操作を繰り返すことで排水口の開口／閉口を自在に操作することができる。
【００１１】
上記のように構成した遠隔操作式排水栓装置の場合、部材に故障等が生じても、遠隔操作式排水栓装置を構成するすべての部材が槽体の内部に配置されているため、部材の取り替え等について何らの問題も生じない。また、軸受部材やチューブ部材が不要なため、その分安価とすることができるなど、コスト面からも有利である。
【００１２】
【発明が解決しようとする課題】
上記のように構成した遠隔操作式排水栓装置において、構成部材であるレリースワイヤのアウターチューブを、内面と外面の間にメッシュ状に編み込んだ金属線を埋め込んでなる円筒形状の弾性材から、フッ素樹脂などの軟質樹脂材を円筒形状とした部材にて構成することが検討されている。このようにすることで、単価を安価としたレリースワイヤを提供することができる。しかしながら、このようにアウターチューブを樹脂材から構成した場合においては次のような問題点があった。
【００１３】
図１乃至図２に示した遠隔操作式排水栓装置の場合、槽体から大量の排水が行われると、排水は排出口から排出される以外に、一部の排水はチューブ部材内に逆流を生じ、レリースワイヤのアウターチューブが排水に浸ることになる。
例えば浴槽排水の場合、通常室温よりも排水の方が高温であるため、アウターチューブが排水に浸ると、弾性材が熱で膨張し、アウターチューブが軸方向に伸長しようとする。しかしながら、アウターチューブの内面と外面の間にメッシュ状に編み込んだ金属線を埋め込んでなるため、熱によってあまり膨張しない金属線の働きによって、アウターチューブの長さが変化することはほとんどない。
ところが、上記のような、フッ素樹脂などの樹脂材にて構成したアウターチューブの場合、排水の温度が室温などに比べてある程度高温又は低温であると、アウターチューブを構成する樹脂材は、温度変化によって膨張又は収縮し、結果アウターチューブは軸方向に伸縮する。他方、アウターチューブ内に収納されており、通常は金属材から構成されるうえ、排水からはアウターチューブによって隔てられているインナーワイヤは殆ど伸縮しない（以後、上記のように、熱の影響を受けてアウターチューブの軸方向長さが伸長又は収縮することを、「熱伸縮」と呼ぶ）。このように、レリースワイヤの周囲に室温と異なる温度の排水が流れ込むと、このレリースワイヤのアウターチューブとインナーワイヤの全長の変化によって、インナーワイヤの先端とアウターチューブの先端との長さ距離の差（以後「飛び出し寸」と呼ぶ）が変化する。具体的には、アウターチューブが冷やされて収縮し、その全長が短くなると、飛び出し寸は長くなり、その分弁体は必要以上に大きく上昇して、弁体が排水栓からとび出したり、排水口を完全に閉口できなくなる場合が生じる。また、アウターチューブが暖められて膨張し、その全長が長くなると、飛び出し寸は短くなり、その分弁体は上昇しにくくなって、操作部に操作を加えても弁体が動作しない、又はわずかにしか動作せず、排水性能が著しく悪化する場合が生じる。特に浴槽や洗面台などに用いられる遠隔操作式排水栓装置は、排水が摂氏４０度程度の温水である場合が多いため、このアウターチューブの熱膨張による問題が頻繁に生じることになる。
【００１４】
上記段落０００３乃至段落０００７に記載した従来例の場合は、槽体の排水を行うわずかな時間の間だけ、アウターチューブが温水に浸される程度であるが、上記段落０００８乃至段落００１１に記載した従来例の構成の場合、槽体の使用時において、常時アウターチューブが槽体内の温水に浸されるため、アウターチューブを樹脂材に変更すると、段落０００３乃至段落０００７に記載の従来例よりも作動不良の状態、即ちアウターチューブが暖められて膨張し、その分飛び出し寸は短くなって弁体が上昇し難くなり、操作部に操作を加えても弁体が動作しない、又はわずかにしか動作せず、排水性能が著しく悪化する、という状態が生じやすくなる。
本発明は上記問題点に鑑み考案されたもので、チューブ部材を採用した遠隔操作式排水栓装置において、排水の温度、特に実生活においてよく利用される水の温度である摂氏０度乃至摂氏６０度程度の温度の排水によってアウターチューブに熱伸縮が生じることの無い遠隔操作式排水栓装置を提供するものである。
【００１５】
【課題を解決するための手段】
請求項１に記載の遠隔操作式排水栓装置は、槽体の底面に設けられた、開閉機構を備えた排水口（１）を、任意の場所に備えた操作部（２）に加えた操作によって開閉する遠隔操作式排水栓装置において、上記操作部（２）に加えた操作を開閉機構に伝達する操作伝達部材を、樹脂材からなる、円筒状にして側面方向に可撓性を備えてなり、且つその周囲に、可撓性が得られる程度に薄膜とした金属材を貼着したアウターチューブ（３ａ）と、上記アウターチューブ（３ａ）内を進退自在に摺動する、側面方向に可撓性を備え、軸方向に剛性を備えたインナーワイヤ（３ｂ）と、からなるレリースワイヤ（３）によって構成したことを特徴とする遠隔操作式排水栓である。
【００１６】
請求項２に記載の遠隔操作式排水栓装置は、上記遠隔操作式排水栓装置において、アウターチューブ（３ａ）を、温水に触れる箇所に配置したことを特徴とする上記段落００１５に記載の遠隔操作式排水栓装置である。なお、ここで言う温水とは、例えば槽体内の上水や使用後の排水などの、任意の温度を有する水を指し示すものである。
【００１７】
請求項３に記載の遠隔操作式排水栓装置は、上記遠隔操作式排水栓装置において、レリースワイヤ（３）を、操作部（２）から排水口（１）内まで通水可能に連通するチューブ部材（４）内に配置したことを特徴とする上記段落００１６に記載の遠隔操作式排水栓装置である。
【００１８】
請求項４に記載の遠隔操作式排水栓装置は、上記遠隔操作式排水栓装置において、レリースワイヤ（３）を、槽体内に配置したことを特徴とする上記段落００１６に記載の遠隔操作式排水栓装置である。
【００１９】
請求項５に記載の遠隔操作式排水栓装置は、上記遠隔操作式排水栓装置において、アウターチューブ（３ａ）が軸方向に多少の弾性を備えると共に、レリースワイヤ（３）が、摂氏０度、軸方向への荷重が無い状態におけるアウターチューブ（３ａ）の軸方向の長さをＬ１、摂氏０度、軸方向への荷重が無い状態におけるアウターチューブ（３ａ）のうち、金属材を貼付した部分の、軸方向の長さをＬ２、インナーワイヤ（３ｂ）のストローク長さをＬ３、アウターチューブ（３ａ）の、軸方向荷重が弾性限界内での状態における、摂氏０度での軸方向の長さに対する、摂氏６０度での軸方向の長さの比をＴ１、アウターチューブ（３ａ）の、摂氏０度乃至摂氏６０度環境下における、軸方向に荷重が無い場合での軸方向の長さに対する、軸方向荷重が弾性限界内での軸方向の長さの比をＴ２、とするとき、
式（ＷＬ）　：　（Ｌ１−Ｌ２）×Ｔ１＜Ｌ３＜（Ｌ１−Ｌ２）×Ｔ２
を満していることを特徴とする上記段落００１５乃至段落００１９のいずれか１つに記載の遠隔操作式排水栓装置である。
なお、ここでいう「軸方向荷重が弾性限界内」とは、部材が荷重による応力によって復元不可能な状態に伸びる、又は裂ける等に至ること無く、荷重を加えることを中止すれば、弾性によって部材が原型に復帰できる程度内での荷重が軸方向に加えられていることを指し示す表現であり、
また、
「アウターチューブ（３ａ）の、状態Ａにおける軸方向の長さＬ（Ａ）に対する、状態Ｂにおける軸方向の長さＬ（Ｂ）の比をＴ（Ｂ／Ａ）とする」とは、
状態Ａにおいて長さがＬ（Ａ）であったアウターチューブ（３ａ）が、状態Ｂでは長さがＬ（Ｂ）に伸長／収縮する場合に、その性質を、
Ｔ（Ｂ／Ａ）＝Ｌ（Ｂ）／Ｌ（Ａ）
として表現することを意味する。
（例えば、摂氏０度において軸方向の長さが１００センチメートルのアウターチューブが、摂氏６０度において軸方向の長さが１０５センチメートルに伸長する場合、
「アウターチューブ（３ａ）の、摂氏０度における軸方向の長さに対する、摂氏６０度における軸方向の長さの比Ｔ（摂氏６０度／摂氏０度）」は、
Ｔ（摂氏６０度／摂氏０度）＝１０５センチメートル／１００センチメートル＝１．０５となる。）
【００２０】
【発明の実施の形態】
本発明の実施例を、図面を参照しつつ説明する。
図１乃至図２に示した、浴槽に取り付けられた遠隔操作式排水栓装置は、以下に記載した排水栓（５）、弁体（６）、排出部材としての排水エルボ（７）、レリースワイヤ（３）、操作部（２）、操作部（２）と排水エルボ（７）の間に配置されるチューブ部材（４）、等の各部材より構成されて成る。
排水栓（５）は、内部に排水口（１）を形成する略円筒形状の部材であって、その上縁外周側にフランジ部（５ａ）を設けてなる。また排水口（１）内には、後述する弁体（６）の弁軸（６ａ）を収納すると共に、レリースワイヤ（３）のアウターチューブ（３ａ）端部を接続して、弁軸（６ａ）下端位置にインナーワイヤ（３ｂ）のロッド部（３ｃ）を配置させる軸受部材（５ｂ）を着脱自在に収納してなる。
弁体（６）は、上記排水口（１）を開閉する弁部（６ｂ）と、該弁部（６ｂ）の中心より下方に向けて垂下された弁軸（６ａ）よりなる。
排水エルボ（７）は排水栓（５）との接続を行う開口部と、排水管等に接続されて排水を下水側に排出する排出口（７ａ）と、後述するレリースワイヤ（３）を挿通するための接続部（７ｂ）よりなる。
レリースワイヤ（３）は、図３乃至図４に示したように、円筒状にして側面方向に可撓性を備えたフッ素樹脂材からなり、且つその周囲に、可撓性が得られる程度に薄膜としたアルミニウム膜（８）を貼着してなる中空のアウターチューブ（３ａ）と、該アウターチューブ（３ａ）内を軸方向に摺動自在に進退するインナーワイヤ（３ｂ）と、インナーワイヤ（３ｂ）の一端に備えられ、上記弁体（６）の弁軸（６ａ）下方に配置されるロッド部（３ｃ）と、後述する操作部（２）側にインナーワイヤ（３ｂ）を付勢する戻りスプリング（３ｄ）を備えてなり、遠隔操作式排水栓装置の施工完了時には、レリースワイヤ（３）のロッド部（３ｃ）が弁体（６）の弁軸（６ａ）下端に当接し、インナーワイヤ（３ｂ）の進退に対応して弁軸（６ａ）下端を押し上げ／下げするように配置される。
また、アウターチューブ（３ａ）に貼着してなるアルミニウム膜（８）は、摂氏０度、軸方向への荷重が無い状態におけるアウターチューブ（３ａ）の軸方向の長さをＬ１、摂氏０度、軸方向への荷重が無い状態におけるアウターチューブ（３ａ）のうち、金属材であるアルミニウム膜（８）を貼付した部分の、軸方向の長さをＬ２、インナーワイヤ（３ｂ）のストローク長さをＬ３、アウターチューブ（３ａ）の、軸方向荷重が弾性限界内での状態における、摂氏０度での軸方向長さに対する、摂氏６０度での軸方向長さの比をＴ１、アウターチューブ（３ａ）の、摂氏０度乃至摂氏６０度環境下における、軸方向に荷重が無い場合での軸方向の長さに対する、軸方向荷重が弾性限界内での軸方向の長さの比をＴ２、とするとき、
式（ＷＬ）：（Ｌ１−Ｌ２）×Ｔ１＜Ｌ３＜（Ｌ１−Ｌ２）×Ｔ２
を満すように貼着されている。（なお、上記した「アウターチューブの長さ」とは、アウターチューブの樹脂材の部分に関する長さであり、両端部の金属材の部分等は含まないものとする）。
操作部（２）は、上記レリースワイヤ（３）のアウターチューブ（３ａ）の端部を固定し、またインナーワイヤ（３ｂ）の進退を操作することで排水口（１）の開閉操作を行う部材であって、操作毎に、インナーワイヤ（３ｂ）を弁体（６）側に前進させて固定／固定を解除し、戻りスプリング（３ｄ）によって操作部（２）側に後退、を繰り返すスラストロック部材（９）と、該スラストロック部材（９）を収納するケーシング部（２ａ）を備えてなる。
チューブ部材（４）は、レリースワイヤ（３）を、操作部（２）から排水エルボ（７）内に案内するガイドの役割を果たす、筒状の、軟質塩ビなど可撓性を備えた軟質樹脂からなる部材であって、その端部の一方は操作部（２）のケーシング部（２ａ）に、他方は排水エルボ（７）の接続部（７ｂ）に、排水が遠隔操作式排水栓装置外に漏れることがないよう水密的に接続される。
【００２１】
上記のように構成した遠隔操作式排水栓装置は、以下のようにして浴槽等に取着される。
まず槽体の底面に設けられた取着孔に排水栓（５）の円筒部分を挿通し、更に排水エルボ（７）の開口部に接続して、取着孔の周縁をフランジ部（５ａ）下面と開口部上面とで挟持させて排水栓（５）及び排水エルボ（７）を取着孔に取着固定する。
次に操作部（２）のケーシング部（２ａ）を槽体の開口周縁に取り付け、更にチューブ部材（４）の両端部に、操作部（２）のケーシング部（２ａ）下端と、排水エルボ（７）の接続部（７ｂ）を、それぞれ水密的に接続する。
更に操作部（２）のスラストロック部材（９）にレリースワイヤ（３）を接続してから、レリースワイヤ（３）のロッド部（３ｃ）をケーシング部（２ａ）とチューブ部材（４）内を挿通して、排水栓（５）内に引き出す。
その後、軸受部材（５ｂ）にレリースワイヤ（３）のアウターチューブ（３ａ）端部を接続したうえで排水口（１）に収納し、更に弁体（６）の弁軸（６ａ）を軸受部材（５ｂ）に収納配置することで、ロッド部（３ｃ）が弁軸（６ａ）下方位置に配置され、遠隔操作式排水栓装置の取り付けが完了する。
【００２２】
上記のように構成した遠隔操作式排水栓装置は、上記段落０００４に記載した従来例の遠隔操作式排水栓装置の施工方法と同様の施工を行うことで浴槽に施工を行うことができ、また上記段落０００４に記載した従来例の遠隔操作式排水栓装置の操作方法と同様の操作を行うことで、排水口（１）の開口／閉口を自在に操作することができる。
【００２３】
上記第一実施例において、操作部（２）から温水が流入したり、あるいは排水口（１）から大量の温水が排出されてチューブ部材（４）内に流入した場合、アウターチューブ（３ａ）の軸方向に対して、アルミニウム膜（８）を貼着してある個所は、熱に対して熱伸縮が樹脂ほど顕著でないアルミニウム膜（８）によって熱伸縮が防止される。従って、このときアウターチューブ（３ａ）が生じる熱伸縮の最大幅は、アルミニウム膜（８）を貼着されていない部分、即ちＬ１−Ｌ２に、摂氏０度での軸方向単位長さに対する、摂氏６０度での軸方向長さの比Ｔ１を掛けた値によって求めることができ、この長さが、式（ＷＬ）にもあるように、インナーワイヤ（３ｂ）のストローク長さＬ３よりも小さいため、アウターチューブ（３ａ）の熱伸縮によって弁体（６）の昇降に不具合が生じることが無い。
また、この（Ｌ１−Ｌ２）×Ｔ１＜Ｌ３で表される式のうち、アウターチューブ（３ａ）の長さＬ１と、インナーワイヤ（３ｂ）のストローク長さＬ３は施工に必要なレリースワイヤ（３）の長さや構造によって、またアウターチューブ（３ａ）の、弾性限界内での摂氏０度における軸方向長さに対する、摂氏６０度における軸方向長さの比Ｔ１はアウターチューブ（３ａ）に用いるフッ素樹脂の性質によってそれぞれ決定され、使用者／又は施工者の都合によって自由に設定することはできないが、アルミニウム膜（８）を貼付した部分の、軸方向に対する長さＬ２は使用者／又は施工者の都合で自在に変更を行うことができるので、式（Ｌ１−Ｌ２）×Ｔ１＜Ｌ３を満すように遠隔操作式排水栓装置を構成することは極めて容易である。
【００２４】
また、上記第一実施例において、弁体（６）が上昇して排水口（１）が開口しているときに、槽体の使用者が弁体（６）を踏みつけるなどして弁体（６）を介しレリースワイヤ（３）に過大な荷重がかかった場合、アウターチューブ（３ａ）が軸方向に多少の弾性を有しているため、弁体（６）が閉口するまでアウターチューブ（３ａ）が伸長して、インナーワイヤ（３ｂ）の破損を防止する。
このときアウターチューブ（３ａ）が生じる伸長は、アルミニウム膜（８）を貼着されていない部分、即ちＬ１−Ｌ２に、荷重に対する伸び率Ｔ２を掛けた値によって求めることができ、この長さが、式にもあるように、インナーワイヤ（３ｂ）のストローク長さＬ３よりも大きければ、レリースワイヤ（３）が弁体（６）に加えられた荷重によって破損することは無い。また、このＬ３＜（Ｌ１−Ｌ２）×Ｔ２で表される式のうち、アウターチューブ（３ａ）の長さＬ１と、インナーワイヤ（３ｂ）のストローク長さＬ３は施工に必要なレリースワイヤ（３）の長さや構造によって、またアウターチューブ（３ａ）の、摂氏０度乃至摂氏６０度環境下における、軸方向に荷重が無い場合での単位長さに対する、軸方向荷重が弾性限界内での軸方向長さの比Ｔ２はアウターチューブ（３ａ）に用いるフッ素樹脂の性質によってそれぞれ決定され、使用者／又は施工者の都合によって自由に設定することはできないが、アルミニウム膜（８）を貼付した部分の、軸方向に対する長さＬ２は使用者／又は施工者の都合で自在に変更を行うことができるので、式Ｌ３＜（Ｌ１−Ｌ２）×Ｔ２を満すように遠隔操作式排水栓装置を構成することは極めて容易である。
【００２５】
上記段落００２３及び段落００２４に記載された２式を整理すれば、
式（ＷＬ）　：　（Ｌ１−Ｌ２）×Ｔ１＜Ｌ３＜（Ｌ１−Ｌ２）×Ｔ２
を導きだすことができ、この式を満すレリースワイヤ（３）を採用した遠隔操作式排水栓装置は、一般的な屋内での湯水の温度である摂氏０度乃至摂氏６０以下の温排水によって生じるアウターチューブ（３ａ）の熱伸縮にも作動不良を生じないと共に、排水栓（５）の開口時に弁体（６）を踏みつけるなどして、レリースワイヤ（３）に過大な荷重が発生しても、アウターチューブ（３ａ）が衝撃をやわらげるショックアブソーバーとして機能しレリースワイヤ（３）の破損を防止するなど極めて使い勝手の良い遠隔操作式排水栓装置とすることができる。
【００２６】
次に本発明の第二実施例を、図面を参照しつつ説明する。
図５に示した、浴槽内にレリースワイヤを配置した本発明の第二実施例は、以下に記載した排水栓（５）、弁体（６）、レリースワイヤ（３）、操作部（２）、等の各部材より構成されてなる。
排水栓（５）は、内部に排水口（１）を形成する略円筒形状であって、その上縁外周側にフランジ部（５ａ）を設けてなる。また排水口（１）内には、後述する弁体（６）の弁軸（６ａ）を収納する有底筒状の軸受部（５ｃ）を備えてなる。弁体（６）は、上記排水口（１）を開閉する弁部（６ｂ）と、該弁部（６ｂ）の中心より下方に向けて垂下された弁軸（６ａ）よりなり、更に弁体（６）側から弁軸（６ａ）内にレリースワイヤ（３）のロッド部（３ｃ）を挿通するための通孔を備えてなる。
レリースワイヤ（３）は、図３乃至図４に示したように、円筒状にして側面方向に可撓性を備えたフッ素樹脂材からなり、且つその周囲に、可撓性が得られる程度に薄膜としたアルミニウム膜（８）を貼着してなる中空のアウターチューブ（３ａ）と、該アウターチューブ（３ａ）内を軸方向に摺動自在に進退するインナーワイヤ（３ｂ）と、インナーワイヤ（３ｂ）の一端に備えられ、上記弁体（６）の弁軸（６ａ）下方に配置されるロッド部（３ｃ）と、後述する操作部（２）側にインナーワイヤ（３ｂ）を付勢する戻りスプリング（３ｄ）を備えてなり、遠隔操作式排水栓装置の施工完了時には、レリースワイヤ（３）のロッド部（３ｃ）が弁体（６）の弁軸（６ａ）下端に当接し、インナーワイヤ（３ｂ）の進退に対応して弁軸（６ａ）下端を押し上げ／下げするように配置される。
また、アウターチューブ（３ａ）に貼着してなるアルミニウム膜（８）は、摂氏０度、軸方向への荷重が無い状態におけるアウターチューブ（３ａ）の軸方向の長さをＬ１、摂氏０度、軸方向への荷重が無い状態におけるアウターチューブ（３ａ）のうち、金属材であるアルミニウム膜（８）を貼付した部分の、軸方向の長さをＬ２、インナーワイヤ（３ｂ）のストローク長さをＬ３、アウターチューブ（３ａ）の、軸方向荷重が弾性限界内での状態における、摂氏０度での軸方向長さに対する、摂氏６０度での軸方向長さの比をＴ１、アウターチューブ（３ａ）の、摂氏０度乃至摂氏６０度環境下における、軸方向に荷重が無い場合での軸方向の長さに対する、軸方向荷重が弾性限界内での軸方向の長さの比をＴ２、とするとき、
式（ＷＬ）：（Ｌ１−Ｌ２）×Ｔ１＜Ｌ３＜（Ｌ１−Ｌ２）×Ｔ２
を満すように貼着されている。
操作部（２）は、上記レリースワイヤ（３）のアウターチューブ（３ａ）の端部を固定し、またインナーワイヤ（３ｂ）の進退を操作することで排水口（１）の開閉操作を行う部材であって、操作毎に、インナーワイヤ（３ｂ）を弁体（６）側に前進させて固定／固定を解除し、戻りスプリング（３ｄ）によって操作部（２）側に後退、を繰り返すスラストロック部材（９）と、該スラストロック部材（９）を収納するケーシング部（２ａ）と、よりなる。
【００２７】
上記のように構成した遠隔操作式排水栓装置は、段落０００９に記載した従来例と同様の方法によって施工することができ、また段落００１０に記載した従来例と同様の方法によって使用することができる。
【００２８】
上記のように構成した遠隔操作式排水栓装置は、段落００２３乃至段落００２５に記載した第一実施例と同様に、一般的な排水の温度である摂氏０度乃至摂氏６０以下の温排水によって生じるアウターチューブ（３ａ）の熱伸縮にも作動不良を生じないと共に、排水口（１）の開口時に弁体（６）を踏みつけるなどして、レリースワイヤ（３）に過大な荷重が発生しても、アウターチューブ（３ａ）がショックアブソーバーとして機能しレリースワイヤ（３）の破損を防止するなど極めて使い勝手の良い遠隔操作式排水栓装置とすることができる。
【００２９】
本発明の実施例は上記のようであるが、本発明は上記実施例に限定されるものではなく、発明の要旨を変更しない範囲で自在に変更が可能である。
例えば上記実施例においては、スラストロック部材（９）を操作部（２）内に組み込んで構成しているが、該スラストロック部材（９）を弁体（６）の下方に配置して、スラストロック部材（９）に直接弁体（６）を昇降させる構成としても良い。上記のように構成すれば、レリースワイヤ（３）がショックアブソーバーとして機能することは無いものの、レリースワイヤ（３）の飛び出し寸が変化することが無いため、遠隔操作式排水栓装置の作動を安定したものとすることができる。
【００３０】
本発明は上記のように構成したため、以下のような優れた効果を奏する。
１．請求項１に記載の本発明の遠隔操作式排水栓装置においては、レリースワイヤのアウターチューブを、軟質の樹脂材から構成した場合において、周囲の温度変化の影響を受けにくいアウターチューブとすることができる。
これは、請求項２に記載の遠隔操作式排水栓装置のように、該アウターチューブが槽体からの温水に浸されるような場所、
例えば請求項３に記載のチューブ部材の内部や、
請求項４に記載の槽体内に配置された場合に特に効果的に機能する。
２．請求項５に記載の本発明の遠隔操作式排水栓装置においては、通常の生活において良く利用される温度である摂氏０度乃至摂氏６０度内で使用するに当たり、作動不良を防ぐと共に、レリースワイヤ自身に弁体に加わる衝撃を緩和する、ショックアブソーバーの機能を付加することができる。
【図面の簡単な説明】
【図１】遠隔操作式排水栓装置の一例を示す断面図である。
【図２】図１の遠隔操作式排水栓装置の、部材構成を示す、一部を切り欠きした斜視図である。
【図３】本発明の第一及び第二実施例に採用されたレリースワイヤの断面図である。
【図４】本発明の第一及び第二実施例に採用されたレリースワイヤを示す側面図である。
【図５】遠隔操作式排水栓装置の、槽体内にレリースワイヤを配置した一例を示す断面図である。
【図６】従来のレリースワイヤの内部構造を示す参考図である。
【符号の説明】
１　　排水口　　　　　　　　２　　操作部
２ａ　ケーシング部　　　　　３　　レリースワイヤ
３ａ　アウターチューブ　　　３ｂ　インナーワイヤ
３ｃ　ロッド部　　　　　　　３ｄ　戻りスプリング
３ｅ　メッシュ状の網材　　　４　　チューブ部材
５　　排水栓　　　　　　　　５ａ　フランジ部
５ｂ　軸受部材　　　　　　　５ｃ　軸受部
６　　弁体　　　　　　　　　６ａ　弁軸
７　　排水エルボ　　　　　　７ａ　排出口
７ｂ　接続部　　　　　　　　８　　アルミニウム膜
９　　スラストロック部材　　Ｂ　　槽体
【図１】
2004068329.tif 000003
【図２】
2004068329.tif 000004
【図３】
2004068329.tif 000005
【図４】
2004068329.tif 000006
【図５】
2004068329.tif 000007
【図６】
2004068329.tif 000008